(57)【要約】    本発明の洗濯機は、前面に投入口が形成されたケーシングと、前記ケーシング内に備えられて洗濯水を収容し、前面に入口が形成されたタブと、前記タブ内に回転可能に備えられるドラムと、前記投入口と前記タブの入口を連結する通路を形成するガスケットボディと、前記ガスケットボディの内側面に備えられて前記ドラム内に洗濯水を噴射する複数のノズルと、前記ガスケットボディの外周面から突出し、前記複数のノズルとそれぞれ連通する複数のポート挿入管を含むガスケットと、前記複数のポート挿入管にそれぞれ挿入される複数の吐出ポートと、前記タブから排出された洗濯水を前記複数の吐出ポートに圧送するポンプとを含み、前記複数のポート挿入管は、前記ガスケットボディを左右に配分した第１、第２領域のうち前記第１領域に上下に配置され、互いに平行な第１、第２ポート挿入管と、前記第２領域に上下に配置され、互いに平行な第３、第４ポート挿入管とを含む。
2021528181.tif 000002
【特許請求の範囲】
【請求項１】
洗濯機であって、
前面に形成された投入口を有するケーシング１０と、
前記ケーシング１０内に備えられて洗濯水を収容し、前記タブの前面に形成された入口を有するタブ３１と、
前記タブ３１内に回転可能に備えられるドラム３２と、
前記入口と前記タブの投入口を連結する通路を形成するガスケットボディ６３、前記ガスケットボディ６３の内周面に備えられて前記ドラム３２内に洗濯水を噴霧する複数のノズル６５０、及び前記ガスケットボディ６３の外周面から突出してそれぞれ前記複数のノズル６５０と連通する複数のポート挿入管６４１、６４２、６４３、６４４を備えるガスケット６０と、
前記複数ポート挿入管６４１、６４２、６４３、６４４にそれぞれ挿入される複数の吐出ポート７６１、７６２、７６３、７６４と、
前記タブ３１から排出された洗濯水を前記複数の吐出ポット７６１，７６２，７６３，７６４で汲み出すように構成されたポンプ９０１と、を備えてなり、
前記ガスケットボディ６０は、前記ケーシング１０の幅方向に第１領域と第２領域に分けられ、前記複数のポート挿入管６４１、６４２、６４３、６４４は、前記第１領域に上から下方向へ互いに平行に配置される第１ポート挿入管６４１及び第２ポート挿入管６４２を備えることを特徴とする、洗濯機。
【請求項２】
前記第１及び第２ポート挿入管６４１、６４２は第１方向に水平に拡張されることを特徴とする、請求項１に記載の洗濯機。
【請求項３】
前記第１ポート挿入管６４１は前記ガスケット６０の中心を通る水平線より高く配置され、
前記第２ポート挿入管６４２は前記水平線より低く配置されることを特徴とする、請求項１又は請求項２に記載の洗濯機。
【請求項４】
前記複数のポート挿入管６４１、６４２、６４３、６４４は、前記第２領域に互いに平行に垂直に配置される第３ポート挿入管６４３及び第４ポート挿入管６４４を更に備えることを特徴とする、請求項１〜３の何れか一項に記載の洗濯機。
【請求項５】
前記第３及び第４ポート挿入管６４３、６４４は前記第１方向と逆の方向に水平に拡張されることを特徴とする、請求項４に記載の洗濯機。
【請求項６】
前記第３ポート挿入管６４３は、前記第１ポート挿入管６４１の高さと同じ高さに配置され、
前記第４ポート挿入管６４４は、前記第２ポート挿入管６４２の高さと同じ高さに配置されることを特徴とする、請求項４又は請求項５に記載の洗濯機。
【請求項７】
前記ガスケット６０は、
前記入口の周りに結合されるケーシング結合部６１と、
前記タブ３１の前記投入口の周りに結合されるタブ結合部６２と、を備え、
前記ガスケットボディ６０は、前記ケーシング結合部６１から前記タブ結合部６２に拡張されることを特徴とする、請求項１〜６の何れか一項に記載の洗濯機。
【請求項８】
前記ガスケットボディ６０は、
前記ケーシング結合部６１から前記タブ結合部６２ａに拡張されるリム部６３ａと、
前記リム部６３ａから前記ケーシング結合部６１に拡張される内部円柱部６３１と、
前記内径部６３１から前記タブ結合部６２に拡張する外径部６３２とを備え、
前記第１及び第２ポート挿入管６４１、６４２は、前記外径部６３２の外周面から突出することを特徴とする、請求項７に記載の洗濯機。
【請求項９】
前記第２ポート挿入管６４２の長さは前記第１ポート挿入管６４１の長さより短いことが特徴とする、請求項１〜８の何れか一項に記載の洗濯機。
【請求項１０】
前記第４ポート挿入管６４４の長さは前記第３ポート挿入管６４３の長さより短いことを特徴とする、請求項４に従属する限りにおいて、請求項４〜９の何れか一項に記載の洗濯機。
【請求項１１】
前記第３ポート挿入管６４３は、前記ガスケットボディ６３の中心を通る水平線より第１距離の分だけ高く配置され、
前記第４ポート挿入管６４４は、前記水平線より前記第１距離の分だけ低く配置されることを特徴とする、請求項４に従属する限りにおいて、請求項４〜１０の何れか一項に記載の洗濯機。
【請求項１２】
前記第１及び第２ポート挿入管６４１、６４２及び前記第３及び第４ポート挿入管６４３、６４４は対称に配置されることを特徴とする、請求項４に従属する限りにおいて、請求項４〜１１の何れか一項に記載の洗濯機。
【請求項１３】
前記ポンプ９０１から排出された洗濯水を案内するための循環管１８と、
前記ガスケット６９に固定されて前記循環管１８に沿って案内された洗濯水を前記複数ノズル６５０に供給する分配管７０１と、を更に備え、
前記分配管７０１は、
前記循環管１８に連結される流入ポート７３と、
前記流入ポートを介して供給された洗濯水を分岐する第１管路部７５及び第２管路部７６と、を備えることを特徴とする、請求項１〜１２の何れか一項に記載の洗濯機。
【請求項１４】
前記複数の吐出ポート７６１、７６２、７６３、７６４は、
前記第１管路部７５に配置され，前記第１及び第２ポート挿入管６４１、６４２にそれぞれ挿入される第１吐出ポート７６１及び第２吐出ポート７６２と、
前記第２管路部７６に配置され、前記第３及び第４ポート挿入管６４３、６４４にそれぞれ挿入される第３吐出ポート７６３及び第４吐出ポート７６４と、を備えることを特徴とする、請求項４に従属する限りにおいて、請求項１３に記載の洗濯機。
【請求項１５】
前記複数ポート挿入管６４１、６４２、６４３、６４４は、前記第２領域に互いに平行に配置された第３ポート挿入管６４３及び第４ポート挿入管６４４を更に備え、
前記洗濯機は、
前記ポンプから排出された水を案内する第１循環管及び第２循環管と、
前記第１領域に固定されて前記第１循環管を介して供給される洗濯水を案内する第１分配管７０２と、
前記第２領域に固定されて前記第２循環管を介して供給される洗濯水を案内する第２分配管７０３と、を更に備え、
前記複数の吐出ポート７６１、７６２、７６３、７６４は、
前記第１分配管７０２に配置され，前記第１及び第２ポート挿入管６４１、６４２にそれぞれ挿入される第１吐出ポート７６１及び第２吐出ポート７６２と、
前記第２分配管７０３に配置され、前記第３及び第４ポート挿入管６４３、６４４にそれぞれ挿入される第３吐出ポート７６３及び第４吐出ポート７６４と、を備えることを特徴とする、請求項１に記載の洗濯機。
【発明の詳細な説明】
【技術分野】
【０００１】
本発明は、洗濯機に関し、より詳細には、ドラム内に循環水を噴射するノズルがガスケットに備えられた洗濯機に関する。
【背景技術】
【０００２】
大韓民国公開特許１０−２０１８−０１３１８９４（以下、「従来技術」という。）は、ポンプにより圧送された循環水をドラム内に噴射するノズルを備えた洗濯機を開示している。前記洗濯機は、外観を形成するケーシングと、水が溜まるタブとの間に介在するガスケットの内周面に沿って複数のノズルが備えられ、前記ガスケットの外周面から突出した多数のポート挿入管が前記ノズルとそれぞれ連通する。
【０００３】
前記ポンプにより圧送された水（循環水）を案内する案内管が備えられ、前記案内管は、環状の流路から突出した多数の吐出ポートが前記多数のポート挿入管にそれぞれ挿入される。
【０００４】
それぞれの前記ポート挿入管は、前記ガスケットの外周面から概ね半径方向外側に突出した形態であり、これに対応してそれぞれの前記吐出ポートも前記環状の流路から半径方向内側に突出している。
【０００５】
このように、放射状にポート挿入管が延長される形態で構成されたガスケットは、各ポート挿入管が延長される方向に金型の移動が行わなければならず、金型の構造が複雑になる問題があった。
【０００６】
また、それぞれの前記ポート挿入管に前記吐出ポートが挿入される方向が異なるため、２つ以上のノズル給水ポートを２つ以上のポート挿入管に同時に組み立てることができず、製造工程も複雑になる問題があった。
【発明の概要】
【発明が解決しようとする課題】
【０００７】
本発明が解決しようとする課題は、第１に、ドラム内に循環水を噴射する複数のノズルがガスケットに備えられる洗濯機を提供するものの、前記ガスケットが射出方式で容易に成形できる構造を有する洗濯機を提供することにある。
【０００８】
第２に、ガスケットの左右両側にそれぞれ２つ以上のノズルを備え、前記ノズルに循環水を供給する給水ポートを固定するポート挿入管が前記ガスケットに一体に形成された洗濯機を提供することにある。
【０００９】
第３に、前記ポート挿入管が互いに平行に配置される洗濯機を提供することにある。
【００１０】
第４に、前記ノズルに循環水を供給する分配管を前記ガスケットに容易に組み立てできる洗濯機を提供することにある。
【００１１】
本発明の課題は、以上で言及した課題に限定されず、言及されていないまた他の課題は以下の記載から当業者に明確に理解できるであろう。
【課題を解決するための手段】
【００１２】
本発明の洗濯機は、回転ドラムを収容するタブから排出されてポンプにより圧送された洗濯水が複数の吐出ポートによりガスケットに配置された複数のノズルに供給される。
【００１３】
前記ガスケットは、ケーシングに形成された投入口と前記タブの入口とを連結する通路を形成するガスケットボディを含み、前記複数のノズルは前記ガスケットボディの内周面に備えられる。そして、前記ガスケットは、前記ガスケットボディの外周面から突出し、前記複数のノズルとそれぞれ連通する複数のポート挿入管をさらに含む（備える；構成する）。
【００１４】
前記複数の吐出ポートは、前記ガスケットボディの外周面から突出して前記複数のポート挿入管にそれぞれ挿入される。
【００１５】
前記複数のポート挿入管は、前記ガスケットボディを左右に配分した第１、第２領域のうち前記第１領域に上下に配置され、互いに平行な第１、第２ポート挿入管を含む。
【００１６】
前記ガスケットは、前記第２領域に上下に配置され、互いに平行な第３、第４ポート挿入管を含む。
【００１７】
前記第１、第２ポート挿入管は、第１方向に水平に延長されてもよい。前記第１ポート挿入管は前記ガスケットの中間高さより上側に位置し、前記第２ポート挿入管は前記ガスケットの中間高さより下側に位置してもよい。
【００１８】
前記第３、第４ポート挿入管は、前記第１方向と反対方向に水平に延長されてもよい。前記第３ポート挿入管は前記第１ポート挿入管と同じ高さに位置してもよく、前記第４ポート挿入管は前記第２ポート挿入管と同じ高さに位置してもよい。
【００１９】
前記ガスケットは、前記投入口の周りに結合されるケーシング結合部と、前記タブ入口の周りに結合されるタブ結合部と、前記ケーシング結合部から前記タブ結合部に延長されるガスケットボディとを含む。
【００２０】
前記第１ないし第４ポート挿入管は、前記ガスケットボディの外周面から突出する。
【００２１】
前記ガスケットボディは、前記ケーシング結合部から前記タブ結合部側に延長されるリム部と、前記リム部から前記ケーシング結合部側に延長される内径部と、前記内径部から前記タブ結合部に延長される外径部とを含む。
【００２２】
前記第１ないし第４ポート挿入管は、前記外径部の外周面から突出してもよい。
【００２３】
前記第２ポート挿入管の長さは、前記第１ポート挿入管より長くなってもよい。前記第１ポート挿入管は、前記ガスケットボディの中間高さ地点から第１距離の分だけ上側に位置し、前記第２ポート挿入管は、前記ガスケットボディの中間高さ地点から前記第１距離より短い第２距離の分だけ下側に位置する。
【００２４】
前記第４ポート挿入管の長さは、前記第３ポート挿入管より短くてもよい。前記第３ポート挿入管は、前記ガスケットボディの中間高さ地点から第１距離の分だけ上側に位置し、前記第４ポート挿入管は、前記ガスケットボディの中間高さ地点から前記第１距離より短い第２距離の分だけ下側に位置する。
【００２５】
前記第１、第２ポート挿入管と前記第３、第４ポート挿入管は対称に配置されてもよい。
【００２６】
前記ポンプから吐出された洗濯水を案内する循環管と、前記ガスケットに固定されて前記循環管を介して案内された洗濯水を前記複数のノズルに供給する分配管とをさらに含む。
【００２７】
前記分配管は、前記循環管と連結される流入ポートと、前記流入ポートを介して供給された洗濯水を分岐する第１管路部及び第２管路部とを含む。
【００２８】
前記複数の吐出ポートは、前記第１管路部上に配置されて前記第１、第２ポート挿入管にそれぞれ挿入される第１、第２吐出ポートと、前記第２管路部上に配置されて前記第３、第４ポート挿入管にそれぞれ挿入される第３、第４吐出ポートとを含む。
【００２９】
前記ポンプから吐出された洗濯水を案内する第１、第２循環管と、前記第１領域に配置されて前記第１循環管を介して供給された洗濯水を案内する第１分配管と、前記第２領域に配置されて前記第２循環管を介して供給された洗濯水を案内する第２分配管とを含む。
【００３０】
前記複数の吐出ポートは、前記第１分配管に配置されて前記第１、第２ポート挿入管にそれぞれ挿入される第１、第２吐出ポートと、前記第２分配管に配置されて前記第３、第４ポート挿入管にそれぞれ挿入される第３、第４吐出ポートとを含む。
【発明の効果】
【００３１】
本発明による洗濯機は、次のような効果が１つあるいはそれ以上存在する。
【００３２】
第１に、本発明の洗濯機は、ガスケットの一体として形成された２つ以上のポート挿入管が互いに平行に配置されるため、前記２つ以上のノズルを１つの移動金型を用いて射出しても、開型や脱型作業が円滑に行われる。
【００３３】
第２に、前方から見るとき、前記ガスケットを二分した第１、第２領域のいずれかに１つに２つ以上のポート挿入管が互いに平行に形成されるため、分配管を前記ガスケットに設置するとき、前記分配管に備えられた吐出ポートを実質的に同じ方向に移動させて前記吐出ポートが同時にポート挿入管に挿入できるので、組立性が向上する。
【００３４】
特に、前記分配管が循環水連結ポートから分岐された第１管路部と第２管路部を有し、前記第１管路部と前記第２管路部のいずれか１つにそれぞれ２つ以上の前記吐出ポートが形成され、前記２つ以上の吐出ポートがそれぞれ半径方向に沿って延長され、これに対応して前記２つ以上のポート挿入管もそれぞれ半径方向に延長される構造の場合、前記吐出ポート間の挿入方向が異なるため、前記吐出ポートを同時に前記ポート挿入管に挿入することが容易でなかったが、本発明は、ポート挿入管（又は、吐出ポート）を互いに平行に配置することにより、このような問題を解決した。
【図面の簡単な説明】
【００３５】
【図１】本発明の一実施形態による洗濯機を示す斜視図である。
【図２】図１に示した洗濯機の内部を示す斜視図である。
【図３】図２に示した洗濯機の一部分を示す斜視図である。
【図４】図４は、図２に示した洗濯機の右側断面図である。
【図５】図５は、図２に示したポンプの斜視図である。
【図６（ａ）】図５に示したポンプの循環水チャンバを示す断面図である。
【図６（ｂ）】図５に示したポンプの排水チャンバを示す断面図である。
【図７】図３に示したガスケット及び分配管の結合状態を示す斜視図である。
【図８】図７の正面図である。
【図９】図７に示したガスケットの右側面図である。
【図１０】図７に示したガスケットの背面図である。
【図１１】図７に示した分配管の正面図である。
【図１２】図１１の右側面図である。
【図１３】本発明の一実施形態によるガスケットを製作するための射出成形機の平面図である。
【図１４】図７に示した分配管及びノズルの結合構造を示す断面図である。
【図１５】図８のII−IIに沿う断面図である。
【図１６】図８のIII−III'に沿う断面図である。
【図１７】ガスケットと分配管の組立体を示したものであり、特に、ノズルの位置とノズルの噴射幅を表示した図である。
【図１８】本発明の他の実施形態によるポンプを示す図である。
【図１９】本発明の他の実施形態による分配管を示す図である。
【発明を実施するための形態】
【００３６】
本発明の利点及び特徴、並びにそれらを達成する方法は、添付の図面とともに詳細に後述されている実施形態を参照すれば明確になるだろう。しかしながら、本発明は、以下で開示される実施形態に限定されるものではなく、他の多様な形態で実現でき、単に、本実施形態は、本発明の開示が完全になるようにし、本発明の属する技術分野において通常の知識を有する者に発明の範疇を完全に知らせるために提供されるものであり、本発明は請求項の範疇により定義されるだけである。明細書全体にわたって同一参照符号は同一構成要素を表す。
【００３７】
以下、添付の図面を参照して本発明について具体的に説明する。
【００３８】
図１は、本発明の一実施形態による洗濯機を示す斜視図である。図２は、図１に示した洗濯機の内部を示す斜視図である。図３は、図２に示した洗濯機の一部分を示す斜視図である。図４は、図２に示した洗濯機の右側断面図である。図５は、図２に示したポンプの斜視図である。図６の（ａ）は図５に示したポンプの循環水チャンバを示す断面図であり、図６の（ｂ）は図５に示したポンプの排水チャンバを示す断面図である。
【００３９】
図１ないし図６を参照すると、ケーシング１０は洗濯機の外観を形成し、前面には洗濯物が投入される投入口１２ｈが形成される。ケーシング１０は、前面が開放され、第１側面、右側面、背面を有するキャビネット１１と、キャビネット１１の開口した前面に結合され、投入口１２ｈが形成された前面パネル１２を含む。キャビネット１１の底面と上面は開放されており、前記底面には洗濯機を支持する水平なベース１５が結合される。また、ケーシング１０は、キャビネット１１の開放された上面を覆うトッププレート１３と、前面パネル１２の上側に配置されるコントロールパネル１４とをさらに含む。
【００４０】
ケーシング１０の内部には水が溜まるタブ３１が配置される。タブ３１は、洗濯物が投入できるように前面に入口（又は、タブ入口３１ｈ）が形成される。キャビネット１１とタブ３１は環状のガスケット６０により連結される。
【００４１】
投入口１２ｈを開閉するドア２０がケーシング１０に回転可能に結合される。ドア２０は、略中央部が開口し、前面パネル１２に回転可能に結合されるドアフレーム２１と、ドアフレーム２１の開口された中央部に設置される透明なウインドウ２２とを含む。ウィンドウ２２は後方に凸状になり、少なくとも一部分がガスケット６０の内周面により囲まれた領域内に位置してもよい。
【００４２】
ガスケット６０は、タブ３１に溜まっている水が漏れることを防止するためのものである。ガスケット６０は環状の前端部から環状の後端部に延長され、投入口１２ｈとタブ入口３１ｈを連結する管状の通路を形成する。ガスケット６０の前記前端部はケーシング１０の前面パネル１２に固定され、前記後端部はタブ３１のタブ入口３１ｈの周りに固定される。
【００４３】
ガスケット６０は、柔軟な又は弾性を有する材質から形成されてもよい。ガスケット６０は、天然ゴム又は合成樹脂で形成されてもよい。ガスケット６０はゴムのような柔軟性の材質で形成されてもよい。ガスケット６０は、ＥＰＤＭ（Ｅｔｈｙｌｅｎｅ  Ｐｒｏｐｙｌｅｎｅ  Ｄｉｅｎｅ  Ｍｏｎｏｍｅｒ）、ＴＰＥ（Ｔｈｅｒｍｏ  Ｐｌａｓｔｉｃ  Ｅｌａｓｔｏｍｅｒ）などの材質で形成されてもよい。以下、ガスケット６０の管状の形態の内側を限定する部分をガスケット６０の内周部（又は、内周面）といい、その反対側の部分をガスケット６０の外周部（又は、外側面）という。
【００４４】
タブ３１内には洗濯物が収容されるドラム３２が回転可能に備えられる。タブ３１内の水がドラム３２内に流入できるように、ドラム３２には多数の通孔３２ｈが形成される。
【００４５】
ドラム３２は、洗濯物が投入される入口が前面に位置するように配置され、略水平な回転中心線Ｃを中心に回転する。ただし、ここでの「水平」は数学的に厳密な意味で使われた用語ではない。すなわち、実施形態においてのように回転中心線Ｃが水平に対して所定の角度に傾いた場合も、垂直よりは水平に近接しているため、実質的に水平であるといえる。
【００４６】
ドラム３２の内側面には複数のリフタ３４が備えられる。複数のリフタ３４はドラム３２の中心に対して一定の角度に配置される。ドラム３２が回転するとき、洗濯物がリフタ３４により持ち上げられてから落下することが繰り返される。
【００４７】
ドラム３２を回転させるための駆動部３８がさらに備えられ、駆動部３８により回転される駆動軸３８ａがタブ３１の背面部を通過してドラム３２と結合される。
【００４８】
好ましくは、駆動部３８は、直結式洗濯モータを含んで構成され、前記洗濯モータは、タブ３１の後方に固定されたステータと、前記ステータとの間に作用する磁力により回転されるロータとを含む。駆動軸３８ａはロータと一体で回転してもよい。
【００４９】
タブ３１は、ベース１５に設置されたダンパ１６により支持される。ドラム３２の回転時に誘発されるタブ３１の振動がダンパ１６によって減殺される。図示されてはいないが、実施形態に応じて、タブ３１をケーシング１０内に吊るハンガー（例えば、スプリング）がさらに備えられてもよい。
【００５０】
蛇口などの外部水源から供給された水をタブ３１に案内する少なくとも１つの給水ホース（図示せず）と、前記少なくとも１つの給水ホースを介して供給された水が後述する少なくとも１つの給水供給管３４ａ、３４ｂ、３４ｃに供給されるように制御する給水部３３が備えられる。
【００５１】
タブ３１又はドラム３２内に洗剤、繊維柔軟剤などの添加剤を供給するディスペンサ３５が備えられる。ディスペンサ３５には添加物がその種類に応じて区分されて収容されてもよい。ディスペンサ３５は、洗剤を収容する洗剤収容部（図示せず）と、繊維柔軟剤を収容する柔軟剤収容部（図示せず）とを含む。
【００５２】
給水部３３を介して供給された水をディスペンサ３５の各収容部に選択的に案内する少なくとも１つの給水供給管３４ａ、３４ｂ、３４ｃが備えられる。給水部３３は、少なくとも１つの給水供給管３４ａ、３４ｂ、３４ｃをそれぞれ断続する少なくとも１つの給水弁（図示せず）を含む。
【００５３】
少なくとも１つの給水供給管３４ａ、３４ｂ、３４ｃは、冷水給水ホースを介して供給された冷水を前記洗剤収容部に供給する第１給水供給管３４ａと、前記冷水給水ホースを介して供給された冷水を前記繊維柔軟剤収容部に水を供給する第２給水供給管３４ｂと、温水給水ホースを介して供給された温水を前記洗剤収容部に供給する第３給水供給管３４ｃとを含む。
【００５４】
ガスケット６０にはドラム３２内に水を噴射する直水ノズル４２が備えられ、給水部３３を介して供給された水を直水ノズル４２に案内する直水供給管３９が備えられる。直水ノズル４２は、渦流ノズル又は噴霧ノズルであってもよいが、必ずしもこれらに限定されるものではない。前方から見ると、直水ノズル４２は回転中心線Ｃの鉛直上側に位置する。
【００５５】
ディスペンサ３５から排出された水は給水ベローズ３７を介してタブ３１に供給される。タブ３１の側面には、給水ベローズ３７と連結された給水口（図示せず）が形成されてもよい。
【００５６】
タブ３１には、水を排出する排水口が形成され、排水ベローズ１７が前記排水口と連結される。排水ベローズ１７を介して、タブ３１から排出された水をポンピングするポンプ９０１が備えられる。排水ベローズ１７を断続する排水弁９６がさらに備えられる。
【００５７】
ポンプ９０１は、排水ベローズ１７を介して排出された水を排水管１９に圧送する機能と、循環管１８に圧送する機能とを選択的に行うことができる。以下、ポンプ９０１により圧送されて循環管１８に沿って案内される水を循環水という。
【００５８】
図５ないし図６を参照すると、ポンプ９０１は、ポンプハウジング９１、第１ポンプモータ９２、第１インペラ９１５、第２ポンプモータ９３及び第２インペラ９１７を含む。
【００５９】
ポンプハウジング９１には、流入ポート９１１、循環ポート９１２、及び排水ポート９１３が形成される。ポンプハウジング９１内には、第１インペラ９１５が収容される第１チャンバ９１４と、第２インペラ９１７が収容される第２チャンバ９１６とが形成される。第１インペラ９１５は第１ポンプモータ９２により回転され、第２インペラ９１７は第２ポンプモータ９３により回転される。
【００６０】
第１チャンバ９１４と循環ポート９１２は、第１インペラ９１５の回転方向に巻かれたらせん（ｖｏｌｕｔｅ）状の流路をなし、第２チャンバ９１６と排水ポート９１３は第２インペラ９１７の回転方向に巻かれたらせん（ｖｏｌｕｔｅ）状の流路をなす。ここで、各インペラ９１５、９１７の回転方向は制御が可能であり、予め定められたものである。
【００６１】
流入ポート９１１は排水ベローズ１７と連結され、第１チャンバ９１４と第２チャンバ９１６は流入ポート９１１と連通する。排水ベローズ１７を介してタブ３１から排出された水が流入ポート９１１を介して第１チャンバ９１４と第２チャンバ９１６に供給される。
【００６２】
第１チャンバ９１４は循環ポート９１２と連通し、第２チャンバ９１６は排水ポート９１３と連通する。従って、第１ポンプモータ９２が作動して、第１インペラ９１５が回転すると、第１チャンバ９１４内の水が循環ポート９１２を介して排出される。そして、第２ポンプモータ９３が作動するときは、第２インペラ９１７が回転して、第２チャンバ９１６内の水が排水ポート９１３を介して排出される。循環ポート９１２は循環管１８と連結され、排水ポート９１３は排水管１９と連結される。
【００６３】
ポンプ９０１は、流量（又は、吐出水圧）可変が可能である。このために、ポンプモータ９２、９３は回転速度制御が可能な可変速モータであり得る。それぞれのポンプモータ９２、９３はＢＬＤＣモータ（Ｂｒｕｓｈｌｅｓｓ  Ｄｉｒｅｃｔ  Ｃｕｒｒｅｎｔ  Ｍｏｔｏｒ）が適当であるが、必ずしもこれに限定されるものではない。ポンプモータ９２、９３の速度制御のためのドライバがさらに備えられてもよく、前記ドライバはインバータドライバであってもよい。インバータドライバはＡＣ電源をＤＣ電源に変換して、目標とした周波数でモータに入力する。
【００６４】
ポンプモータ９２、９３を制御する制御部（図示せず）がさらに備えられてもよい。制御部は、比例積分制御器（ＰＩ  ｃｏｎｔｒｏｌｌｅｒ：Ｐｒｏｐｏｒｔｉｏｎａｌ−Ｉｎｔｅｇｒａｌ  ｃｏｎｔｒｏｌｌｅｒ）、比例積分微分制御器（ＰＩＤ  ｃｏｎｔｒｏｌｌｅｒ：Ｐｒｏｐｏｒｔｉｏｎａｌ−Ｉｎｔｅｇｒａｌ−Ｄｅｒｉｖａｔｉｖｅ  ｃｏｎｔｒｏｌｌｅｒ）などを含んで構成される。前記制御器は、ポンプモータの出力値（例えば、出力電流）が入力されると、これに基づいてポンプモータの回転数が既に設定された目標回転数に追従するように前記ドライバの出力値を制御することができる。
【００６５】
制御部は、ポンプモータ９２、９３の回転速度だけでなく、回転方向も制御できる。特に、従来のポンプに適用されていたモータは、起動時の回転方向を制御することができないため、図６に示すように、決まった方向に各インペラの回転を制御することが難しく、インペラの回転方向に応じて吐出ポート９１２、９１３から吐出される流量が変わるという問題があった。しかしながら、本発明は、ポンプモータ９２、９３の起動時の回転方向が制御できるため、従来のような問題が発生せず、吐出ポート９１２、９１３を介して吐出される流量を一定に管理することができる。
【００６６】
一方、前記制御部は、ポンプモータ９２、９３だけでなく、洗濯機の作動全般を制御することができ、以下で言及される各部の制御は、前記制御部の制御により行われるものと理解する。
【００６７】
図７は、図３に示したガスケット及び分配管の結合状態を示す斜視図である。図８は、図７の正面図である。図９は、図７に示したガスケットの右側面図である。図１０は、図７に示したガスケットの背面図である。図１１は、図７に示した分配管の正面図である。図１２は、図１１の右側面図である。図１３は、本発明の一実施形態によるガスケットを製作するための射出成形機の平面図である。図１４は、図７に示した分配管及びノズルの結合構造を示す断面図である。図１５は、図８のII−II'に沿う断面図である。図１６は、図８のIII−III'に沿う断面図である。
【００６８】
図７ないし図１６を参照すると、ガスケット６０は、前面パネル１２の投入口１２ｈの周りに結合されるケーシング結合部６１と、タブ入口３１ｈの周りに結合されるタブ結合部６２と、ケーシング結合部６１とタブ結合部６２との間において延長されるガスケットボディ６３とを含む。
【００６９】
前面パネル１２は、投入口１２ｈの周りが外側に巻かれており、このように巻かれた部分により形成された凹部内にケーシング結合部６１が嵌め込まれる。ケーシング結合部６１には、針金が巻かれる環状の溝６１ｒが形成される。溝６１ｒに沿って針金が巻かれた後、針金の両端が結束されることにより、ケーシング結合部６１が投入口１２ｈの周りに強固に固定される。
【００７０】
タブ３１は、入口周りが外側に巻かれており、このように巻かれた部分により形成された凹み部分内に、タブ結合部６２が嵌め込まれる。タブ結合部６２には、針金が巻かれる環状の溝６２ｒが形成される。溝６２ｒに沿って針金が巻かれた後、針金の両端が結束されることにより、タブ結合部６２がタブ３１の入口周りに強固に結合される。
【００７１】
一方、ケーシング結合部６１は前面パネル１２に固定されるが、タブ結合部６２は、タブ３１の動きによって変位する。従って、ガスケットボディ６３は、タブ結合部６２の変位に対応して変形が行わなければならない。このような変形が円滑に行われるように、ガスケット６０は、ケーシング結合部６１とタブ結合部６２との間の区間（又は、ガスケットボディ６３）に、タブ３１が偏心により移動される方向（又は、半径方向）に移動されることにつれて折り畳まれる折り畳み部６３ｂを含む。
【００７２】
より詳細に、図１４ないし図１６を参照すると、ガスケットボディ６３にはケーシング結合部６１からタブ結合部６２に向かって（又は、後方に向かって）延長される管状のリム部６３ａが形成され、折り畳み部６３ｂはリム部６３ａとタブ結合部６２との間に形成される。
【００７３】
ガスケット６０は、リム部６３ａの前端から外側に折曲されてドア２０が閉まった状態で、投入口１２ｈの外側においてドア２０の背面に密着する外側ドア密着部６８を含む。ケーシング結合部６１は、外側ドア密着部６８の外側端から延長された部分に前述の溝６１ｒが形成される。
【００７４】
ガスケット６０は、リム部６３ａの前端から内側に折曲されて、ドア２０が閉まった状態で投入口１２ｈの内側においてドア２０の背面（好ましくは、ウインドウ２２）と密着する内側ドア密着部６６をさらに含む。
【００７５】
一方、ドラム３２は回転過程において振動（すなわち、ドラム３２の回転中心線Ｃが移動）し、それにつれて、タブ３１の中心線（ドラム３２の回転中心線Ｃとほぼ同一）も移動し、このときの移動方向（以下、「偏心方向」という。）は半径方向成分を有する。
【００７６】
折り畳み部６３ｂは、タブ３０が偏心方向に移動するとき、折れるか広げられる。折り畳み部６３ｂは、リム部６３ａからケーシング結合部６１側に折曲された内径部６３１と、内径部６３１からタブ結合部６２側に折曲されてタブ結合部６２と連結される外径部６３２とを含む。前方から見ると、内径部６３１は外径部６３２により囲まれた内側に位置する。図１６に示すように、リム部６３ａと折り畳み部６３ｂは、略「Ｓ」字状の断面をなす。
【００７７】
タブ３１の中心が偏心方向に移動するとき、折り畳み部６３ｂの一部分が折り畳まれると、その部分において内径部６３１と外径部６３２との間が縮まり、それに対して、このように折り畳まれる部分の反対側においては折り畳み部６３ｂが広がって内径部６３１と外径部６３２との間が広くなる。
【００７８】
リム部６３ａには直水ノズル４２とスチーム噴射ノズル４７が設置されてもよい。図２を参照すると、リム部６２０には直水ノズル４２が設置される直水ノズルポート６２１と、スチーム噴射ノズル４７が設置されるスチーム噴射ノズルポート６２２が配置される。直水ノズルポート６２１とスチーム噴射ノズルポート８２０はガスケット６０と一体で製作されてもよい。
【００７９】
前方から見ると、外径部６３２の左側部及び／又は右側部には、複数のポート挿入管６４１、６４２、６４３、６４４が配置される。具体的には、前方から見るとき、ガスケットボディ６３を左右に配分した第１、第２領域のうち前記第１領域（例えば、基準線（Ｌ）の左側領域）に上下に配置され、互いに平行な第１、第２ポート挿入管６４１、６４２が備えられ、前記第２領域（例えば、基準線（Ｌ）の右側領域）に上下に配置され、互いに平行な第３、第４ポート挿入管６４３、６４４が備えられる。
【００８０】
ポート挿入管６４１、６４２、６４３、６４４は、外径部６３２から外側に突出する。実施形態において、ポート挿入管６４１、６４２、６４３、６４４は、外径部６３２の左側部に２つ（６４１、６４２）、右側部に２つ（６４３、６４４）が配置される。区分のために、これらをそれぞれ第１ポート挿入管６４１、第２ポート挿入管６４２、第３ポート挿入管６４３及び第４ポート挿入管６４４と称する。
【００８１】
図８を参照すると、ガスケット６０の内周面には複数のノズル６５０が配置される。好ましくは、ノズル６５０は外径部６３２の内周面に配置される。４つのポート挿入管６４１、６４２、６４３、６４４に対応して４つのノズル６５０ａ、６５０ｂ、６５０ｃ、６５０ｄ（図１７を参照）が備えられる。それぞれのポート挿入管６４１、６４２、６４３、６４４が対応するノズル６５０ａ、６５０ｂ、６５０ｃ、６５０ｄと連通する。すなわち、各ポート挿入管６４１、６４２、６４３、６４４に形成された中空がノズル６５０ａ、６５０ｂ、６５０ｃ、６５０ｄの入口と連通する。
【００８２】
第１ポート挿入管６４１の下側に第２ポート挿入管６４２が配置される。第１ポート挿入管６４１と第２ポート挿入管６４２は互いに平行に配置される。第１ポート挿入管６４１と第２ポート挿入管６４２は水平方向（又は、左右方向）に延長される。第１ポート挿入管６４１と第２ポート挿入管６４２にそれぞれ形成された中空も水平に延長され、互いに平行になる。
【００８３】
図１０を参照すると、第２ポート挿入管６４２の長さは第１ポート挿入管６４１より短くてもよい。第１ポート挿入管６４１は、ガスケットボディ６３の中間高さ地点（好ましくは、中心（Ｏ）が位置する高さ地点）から第１距離（ｄ１）の分だけ上側に位置する。
【００８４】
第２ポート挿入管６４２は、ガスケットボディ６３の中間高さ地点（Ｏ）から第２距離（ｄ２）の分だけ下側に位置し、ここで、第２距離（ｄ２）は第１距離（ｄ１）より短い（ｄ２＜ｄ１）。
【００８５】
ガスケットボディ６３の外形は円形に近いため、外径部６３２上の任意の地点が、中間高さ地点（Ｏ）から上側又は下側に近い地点であるほど前記任意の地点は対称基準線（Ｌ）から相対的に遠く離れるようになる。従って、実施形態においては、第２ポート挿入管６４２が外径部６３２と連結される地点が第１ポート挿入管６４１が外径部６３２と連結される地点より対称基準線（Ｌ）から遠く離れているため、外観上、第２ポート挿入管６４２が対称基準線（Ｌ）からさらに右側まで突出した形態である。従って、第２ポート挿入管６４２の長さを相対的に短くすることにより、ガスケットボディ６３とキャビネット１１との間に分配管７０が設置できる間隔を確保することが好ましい。同様に、第４ポート挿入管６４５の長さも第２ポート挿入管６４３より短い。
【００８６】
第３ポート挿入管６４３の下側に第４ポート挿入管６４４が配置される。第３ポート挿入管６４３と第４ポート挿入管６４４は互いに平行に配置できる。第３ポート挿入管６４３と第４ポート挿入管６４４は水平方向（又は、左右方向）に延長される。第３ポート挿入管６４３と第４ポート挿入管６４４にそれぞれ形成された中空も水平に延長され、互いに平行になる。
【００８７】
図９を参照すると、外径部６３２の下部にはガスケット６０の内部に溜まっていた洗濯水を排水するための残水ポート６４５が備えられる。残水ポート６４５は、外径部６３２の外周面から下側に突出する。残水ポート６４５を介して折り畳み部６３ｂに溜まっていた洗濯水が排水される。
【００８８】
一方、ガスケット６０は射出成形機８００を用いて形成してもよい。具体的に、射出成形機８００は、図１３を参照すると、固定金型８５０と固定金型８５０に対して相対移動される移動金型８１０、８２０、８３０、８４０を含む。移動金型８１０、８２０、８３０、８４０は、第１移動金型８１０、第２移動金型８２０、第３移動金型８３０及び第４移動金型８４０を含む。
【００８９】
固定金型８５０、第１移動金型８１０、第２移動金型８２０、第３移動金型８３０及び第４移動金型８４０により形成されるキャビティ（ｃａｖｉｔｙ）内に射出機（図示せず）から吐出された溶融状態の合成樹脂が注入される。
【００９０】
固定金型８５０は中央に配置され、第１、第２、第３、第４移動金型８１０、８２０、８３０、８４０は固定金型８５０の周りに配置されてもよい。開型のとき、固定金型８５０に対して第１移動金型８１０は前方（図１３を基準に上側）に移動され、第２移動金型８２０は右側に移動され、第３移動金型８３０は後方（図１３を基準に下側）に移動され、第４移動金型８４０は左側に移動される。
【００９１】
ガスケット６０の上部に配置された直水ノズルポート６２１とスチーム噴射ノズルポート６２２は、第１移動金型８１０により成形される。直水ノズルポート６２１とスチーム噴射ノズルポート６２２が第１移動金型８１０の移動方向に延長されるため、脱型作業が円滑に行われる。
【００９２】
ガスケット６０の下部に配置された残水ポート６４５は、第３移動金型８３０により成形される。残水ポート６４５が第３移動金型８３０の移動方向に延長されるため、脱型作業が円滑に行われる。
【００９３】
ガスケット６０の左側に配置された第１ポート挿入管６４１と第２ポート挿入管６４２は、第４移動金型８４０により成形される。第４移動金型８４０は左側に移動され、第１ポート挿入管６４１と第２ポート挿入管６４２は第４移動金型８４０の移動方向と同じ方向（すなわち、左側）に突出する。
【００９４】
第１ポート挿入管６４１と第２ポート挿入管６４２は互いに平行に配置される。言い換えれば、第１ポート挿入管６４１が外径部６３２の外周面から突出した方向と、第２ポート挿入管６４２が外径部６３２の外周面から突出した方向が互いに同一である。
【００９５】
ガスケット６０の右側に配置された第３ポート挿入管６４３と第４ポート挿入管６４４は、第２移動金型８２０により形成される。第２移動金型８２０は右側に移動され、第３ポート挿入管６４３と第４ポート挿入管６４４は第２移動金型８２０の移動方向と同じ方向（すなわち、右側）に突出して形成される。
【００９６】
第３ポート挿入管６４３と第４ポート挿入管６４４は互いに平行に配置される。言い換えれば、第３ポート挿入管６４３が外径部６３２の外周面から突出した方向と、第４ポート挿入管６４４が外径部６３２の外周面から突出した方向が互いに同一であり得る。
【００９７】
第１移動金型８１０、第２移動金型８２０、第３移動金型８３０及び第４移動金型８４０が互いに異なる方向に移動（又は、第１移動金型８１０と第３移動金型８３０が互いに反対方向に移動し、第２移動金型８２０及び第４移動金型８４０が互いに反対方向に移動）しているため、ガスケット６０の上側、左側、右側及び下側にそれぞれ挿入管又はポートを形成することができる。
【００９８】
ガスケットボディ６３は対称基準線（Ｌ）に対して対称構造であり得る。第１ポート挿入管６４１と第３ポート挿入管６４３は同じ高さに配置されてもよい。第２ポート挿入管６４２と第４ポート挿入管６４４は同じ高さに配置されてもよい。第１ポート挿入管６４１及び第３ポート挿入管６４３は、左右対称構造、すなわち、対称基準線（Ｌ）に対して対称の構造である。同様に、第２ポート挿入管６４２と第４ポート挿入管６４４も左右対称の構造であり得る。
【００９９】
一方、図７を参照すると、リム部６３ａは上側に行くほど次第に幅（又は、前後方向への長さ）が広くなる。この場合、内径部６３１の幅が次第に増加することに対応して、外径部６３２が上側に行くほど次第に後方に位置するようになるので、図９に示すように、第３ポート挿入管６４３が第４ポート挿入管６４４よりさらにタブ３１に近接し、反対側も同様に第１ポート挿入管６４１が第２ポート挿入管６４２よりタブ３１に近接している。
【０１００】
［ノズル］
循環水をドラム３２の内部に吐出させる複数のノズル６５０ａ、６５０ｂ、６５０ｃ、６５０ｄが備えられる。複数のノズル６５０ａ、６５０ｂ、６５０ｃ、６５０ｄは、第１ポート挿入管６４１、第２ポート挿入管６４２、第３ポート挿入管６４３、第４ポート挿入管６４４とそれぞれ連結される。以下、第１ポート挿入管６４１と連通して循環水が供給されるノズルを第１ノズル６５０ａといい、第２ポート挿入管６４２と連通して循環水が供給されるノズルを第２ノズル６５０ｂといい、第３ポート挿入管６４３と連通して循環水が供給されるノズルを第３ノズル６５０ｃといい、第４ポート挿入管と連通して循環水が供給される受ノズルを第４ノズル６５０ｄという（図１７を参照）。
【０１０１】
前述したように、複数のポート挿入管６４１、６４２、６４３、６４４はそれぞれ水平に延長され、これに対応して後述する複数の吐出ポート７６１、７６２、７６３、７６４もそれぞれ水平に延長され、従って、各吐出ポート７６１、７６２、７６３、７６４による循環水の供給又は案内は水平な方向に行われる。
【０１０２】
ノズル６５０ａ、６５０ｂ、６５０ｃ、６５０ｄは、前記のように水平な方向に供給された循環水を水平に対して所定の角度をなす方向に吐出するように構成されてもよい。すなわち、各吐出ポート７６１、７６２、７６３、７６４／ポート挿入管６４１、６４２、６４３、６４４を介して水平方向に循環水が供給されても、各ノズル６５０ａ、６５０ｂ、６５０ｃ、６５０ｄによる吐出方向は水平に対して所定角度に上向き又は下向きになる。
【０１０３】
図１７は、ガスケットと分配管の組立体を示す図であり、特に、ノズルの位置とノズルの噴射幅を表示している。図１７を参照すると、前述したように、ガスケット６０には４つのノズル６５０が備えられる。以下、４つのノズル６５０のうち上側に位置する２つのノズル６５０ａ、６５０ｃをそれぞれ上部ノズル６５０ａ、６５０ｃといい、これらを再び前方から見たときに左側に位置するものを第１上部ノズル６５０ａといい、右側に位置するものを第２上部ノズル６５０ｃという。
【０１０４】
上部ノズル６５０ａ、６５０ｃはガスケット６０の中心（Ｏ）より上側に位置して下方に循環水を噴射する。ここで、中心（Ｏ）はガスケット６０の左右対称基準線（Ｌ）上に位置する所定の点であり、好ましくは、ガスケット６０の高さ（Ｈ）の半分に位置するが、必ずしもこれに限定されるものではない。
【０１０５】
前方から見るとき、第１上部ノズル６５０ａは基準線（Ｌ）の左側領域に配置されて、基準線（Ｌ）の右側領域に下方へ循環水を噴射する。前方から見るとき、第２上部ノズル６５０ｃは基準線（Ｌ）の右側領域に配置されて、基準線（Ｌ）の左側領域に下方へ循環水を噴射する。
【０１０６】
第１上部ノズル６５０ａと第２上部ノズル６５０ｃは、基準線（Ｌ）を基準に左右対称の形態で構成され、従って、第１上部ノズル６５０ａと第２上部ノズル６５０ｃを介して噴射される水流の形態も基準線（Ｌ）に対して対称である。
【０１０７】
また、上部ノズル６５０ａ、６５０ｃの下側に位置する２つのノズルを下部ノズル６５０ｂ、６５０ｄといい、これらを再び前方から見るとき、左側に位置するものを第１下部ノズル６５０ｂといい、右側に位置するものを第２下部ノズル６５０ｄという。
【０１０８】
前方から見るとき、第１下部ノズル６５０ｂは基準線（Ｌ）の左側領域に配置されて、基準線（Ｌ）の右側領域に上方へ循環水を噴射する。
【０１０９】
前方から見るとき、第２下部ノズル６５０ｄは基準線（Ｌ）の右側領域に配置されて、基準線（Ｌ）の左側領域に上方へ循環水を噴射する。
【０１１０】
第１下部ノズル６５０ｂと第２下部ノズル６５０ｄは、基準線（Ｌ）を基準に左右対称の形態で構成され、従って、第１下部ノズル６５０ｂと第２下部ノズル６５０ｄを介して噴射される水流の形態も基準線（Ｌ）に対して対称である。
【０１１１】
図１０、図１１及び図１４を参照すると、ノズル６５０ａはガスケット６０のガスケットボディ６３に形成され、好ましくは、外径部６３２の内周面から突出する。ノズル６５０ａは、ノズル流入管６５１とノズルヘッド６５２を含む。具体的に、ノズル流入管６５１は管状の形態であって、外径部６３２の内周面から突出して対応するノズルヘッド６５２と連結される。
【０１１２】
図１０、図１５ないし図１７を参照すると、ノズルヘッド６５２は、吐出ポート６４１から吐出された水が衝突する衝突面６５２ａと、衝突面６５２ａの両側に位置する第１側面６５２ｂと第２側面６５２ｃを含む。衝突面６５２ａ、第１側面６５２ｂ、第２側面６５２ｃにより漏斗状の空間が形成され、ノズル流入管６５１から排出された水が前記空間内において衝突面６５２ａとぶつかった後、噴射口６５７から吐出される。
【０１１３】
第１側面６５２ｂと第２側面６５２ｃは、衝突面６５２ａの左側辺と右側辺からそれぞれ延長されて、衝突面６５２ａに沿って流動する水流の左側と右側の境界を限定する。
【０１１４】
第１側面６５２ｂと第２側面６５２ｃがなす角度（γ）はおよそ４５度ないし５５度であり、好ましくは、５０度であるが、必ずしもこれに限定されるものではない。
【０１１５】
ノズル６５０を介して噴射される水流の噴射幅を噴射幅角度として定義するとき、前記噴射幅角度は第１側面６５２ｂと第２側面６５２ｃにより規定できる。具体的に、前記噴射幅角度は、衝突面６５２ａと第１側面６５２ｂとが会う第１境界と、衝突面６５２ａと第２側面６５２ｃとが会う第２境界がなす角度として定義される。
【０１１６】
図１７を参照すると、上部ノズル６５０ａ、６５０ｃの噴射幅角度（β1）は下部ノズル６５０ｂ、６５０ｄの噴射幅角度（β2）より小さい。流入ポート７３に供給された循環水は分配管７０１に沿って上昇中に一部が下部ノズル６５０ｂ、６５０ｄを介して噴射され、残りが上部ノズル６５０ａ、６５０ｃを介して噴射されるので、上部ノズル６５０ａ、６５０ｃを介する吐出流量は下部ノズル６５０ｂ、６５０ｄを介する吐出流量より少ない。従って、上部ノズル６５０ａ、６５０ｃの噴射幅を下部ノズル６５０ｂ、６５０ｄの噴射幅より小さくすることにより（β1＜β2）、上部ノズル６５０ａ、６５０ｃの吐出水圧を相対的に補償して全てのノズル６５０ａ、６５０ｂ、６５０ｃ、６５０ｄから実質的に均一な水圧で水が吐出されるようにすることができる。
【０１１７】
下部ノズル６５０ｂ、６５０ｄの噴射幅角度（β2）と上部ノズル６５０ａ、６５０ｃの噴射幅角度（β1）との差（β2−β1）はおよそ４度ないし６度であり、好ましくは、５度である。このとき、β1はおよそ３８度ないし４２度であり、好ましくは、４０度であり、β2はおよそ４３度ないし４７度であり、好ましくは、４５度である。
【０１１８】
一方、上部ノズル６５０ａ、６５０ｃの噴射方向は上部ノズル６５０ａ、６５０ｃとガスケット６５０ａの中心（Ｏ）とを連結する線（Ｒ）（以下、「ノズル配置線」という。）に対して上向きに上向き偏差角（Φ）をなす。ここで、上部ノズル６５０ａ、６５０ｃの噴射方向（ＤＲ）は、第１側面６５２ｂと第２側面６５２ｃがなす角を等分する直線によって定義し、噴射方向（ＤＲ）はノズル配置線（Ｒ）より上向している。上向き偏差角（Φ）は５度ないし９度であってもよく、好ましくは、７度である。
【０１１９】
上部ノズル６５０ａ、６５０ｃの高さ、位置、噴射幅角度（β1）などの多様な条件により、場合によっては、上部ノズル６５０ａ、６５０ｃを介して十分な水圧で噴射ができず、噴射された水流が遠くまで直進できない場合がある。このような理由から、上部ノズル６５０ａ、６５０ｃの噴射方向を上向き偏差角（Φ）の分だけノズル配置線（Ｒ）より上方するようにすることにより、上部ノズル６５０ａ、６５０ｃの水圧が十分でない場合でもノズル配置線（Ｒ）が通る領域に水流が届くようにし、好ましくは、図１７に示すように、上部ノズル６５０ａ、６５０ｃを介して噴射された水流の形態と下部ノズル６５０ｂ、６５０ｃを介して噴射された水流の形態が実質的に対称になるようにすることができる。
【０１２０】
一方、ガスケット６０の最低点から下部ノズル６５０ｂ、６５０ｄまでの角度をα１とすると、上部ノズル６５０ａ、６５０ｃは、角度α１と対応する位置からガスケット６０の最高点（Ｈ）の間に配置され、１８０−α１を等分した角度と対応する地点より上側に位置する。すなわち、図１７においてα２はα３より大きい値を有する。α２−α３は１８度ないし２２度であってもよく、好ましくは、２０度である。このとき、α２は６３度ないし６７度であってもよく、好ましくは、６５度である。
【０１２１】
一方、下部ノズル６５０ｂ、６５０ｄはガスケット６０高さ（Ｈ）の略１／３地点（１／３Ｈ）に位置する。この場合、α２は上部ノズル６５０ａ、６５０ｃがガスケット６０高さの２／３（２／３Ｈ）より上側に位置する範囲において設定されることが好ましく、このとき、α２は６５度であってもよい。
【０１２２】
ドラム３２内において上下に均一に循環水が噴射されるためには、上部ノズル６５０ａ、６５０ｃと下部ノズル６５０ｂ、６５０ｄが高さ方向に等間隔に配置されることが好ましいが、この場合、重力による噴射水流の垂れにより上部ノズル６５０ａ、６５０ｃから噴射された水流が実際には幾何学的に予測したことより下側の領域に至るという問題がある。従って、このような重力による水流の垂れを考慮すると、上部ノズル６５０ａ、６５０ｃは２／３Ｈより上側に配置する必要がある。
【０１２３】
一方、ポンプ９０１が作動して下部ノズル６５０ｂ、６５０ｄを介して循環水が噴射されるとき、タブ３１内の水位は１／３Ｈ地点を超えないことが好ましい。
【０１２４】
一方、図１０を参照すると、前方から見ると、第１ノズル６５０ａの噴射方向（ＤＲ１）は、第１ポート挿入管６４１の長さ方向（又は、第１ノズル６５０ａに水が流入する方向、すなわち、入水方向）に対して角度ａをなすことができる。ここで、角度ａは１３３度ないし１３８度である。
【０１２５】
第１ノズル６５０ａと第３ノズル６５０ｃは対称に配置される関係であるので、第３ノズル６５０ｃの噴射方向（ＤＲ３）が第３ポート挿入管６４３となす角度もａである。
【０１２６】
また、前方から見るとき、第２ノズル６５０ｂの噴射方向（ＤＲ２）は、第２ポート挿入管６４２の長さ方向（又は、第２ノズル６５０ｂに水が流入する方向、すなわち、入水方向）に対して角度ｂをなすことができる。ここで、角度ｂは１０９度ないし１１１度である。
【０１２７】
第２ノズル６５０ｂと第４ノズル６５０ｄは対称に配置される関係であるので、第４ノズル６５０ｄの噴射方向（ＤＲ４）が第４ポート挿入管６４４となす角度もｂである。
【０１２８】
以下、図１４ないし図１６を参照してノズル６５０の構造をより詳細に説明する。これらの図面には代表的に第１ノズル６５０ａが示されているが、第２ノズル６５０ｂ、第３ノズル６５０ｃ及び第４ノズル６５０ｄは、第１ノズル６５０ａと実質的に同一の構造となっているため、以下で説明する第１ノズル６５０ａに関する内容が第２ないし第４ノズル６５０ｂ、６５０ｃ、６５０ｄにも適用できる。
【０１２９】
衝突面６５２ａ、第１側面６５２ｂ及び第２側面６５２ｃは、ノズルヘッド６５２の出口６５７（すなわち、噴射口）に延長される。ノズルヘッド６５２の衝突面６５２ａはノズル流入管６５１の出口６５１ｂと対向し、ドラム３２の深さ方向に傾斜して形成される。
【０１３０】
ノズル流入管６５１は水平に延長して水を水平な方向に案内するため、水流がノズルヘッド６５２に至るまで重力の影響を受けずに一定に進行した後、衝突面６５２ａにより拡散するので、各ノズル６５０ａ、６５０ｂ、６５０ｃ、６５０ｄから一定の形態で水流が噴射される。
【０１３１】
もし、ノズル流入管６５１の長さ方向が略水平に配置されずにガスケット６０の中心（Ｏ）に向かって配置されると、上部ノズル６５０ａ、６５０ｃのノズル流入管６５１を流動する水は下に流れる過程で重力が加えられて下部ノズル６５０ｂ、６５０ｄより速くドラム３２内に噴射され、下部ノズル６５０ｂ、６５０ｄのノズル流入管６５１を流動する水は上に流れる過程で重力が加えられて上部ノズル６５０ａ、６５０ｃより遅くドラム３２内に噴射されるので、複数のノズル６５０ａ、６５０ｂ、６５０ｃ、６５０ｄからドラム３２内に噴射される水の噴射形態が一定に維持され難しくなるが、本実施形態においてはノズル流入管６５１の長さ方向に略水平に配置されて、水を水平な方向に案内するため、複数のノズル６５０ａ、６５０ｂ、６５０ｃ、６５０ｄからドラム３２内に噴射される水の噴射状態が一定に維持できることである。
【０１３２】
図１４を参照すると、ノズル流入管６５１の入口６５１ａの面積は出口６５１ｂの面積よりも広く形成されてもよい。出口６５１ｂから吐出された循環水は、ノズルヘッド６５２の衝突面６５２ａにぶつかった後、噴射口６５７を介してドラム３２内に噴射される。噴射口６５７の向かう方向とノズル流入管６５１の長さ方向は互いに交差する。
【０１３３】
ガスケット６０は、ガスケットボディ６３の内周面において突出した突出部６５５を含む。複数のノズル６５０ａ、６５０ｂ、６５０ｃ、６５０ｄに対応して複数の突出部６５５が円周方向に沿って形成される。各ノズル６５０ａ、６５０ｂ、６５０ｃ、６５０ｄの噴射口６５７は、対応する突出部６５５に形成されてもよい（図１０を参照）。
【０１３４】
ノズル流入管６５１は、水流の進行方向に内径が次第に小さくなる流路縮小部６５１ｃを含む。流路縮小部６５１ｃの内径はノズルヘッド６５２に至るまで次第に小さくなる。
【０１３５】
一方、分配管７０１は、少なくとも一部分がガスケット６０の外周面とバランサ８１、８２との間に配置される。分配管７０１の設置のための別途の空間を確保する必要がなく、既存の空間（すなわち、ガスケット６０の外周面とバランサ８１、８２の間）に設置されることができる。
【０１３６】
一対の上部ノズル６５０ａ、６５０ｃは流入ポート７３より上側に形成され、流入ポート７３を基準に左右両側にそれぞれ配置されてもよい。一対の上部ノズル６５０ａ、６５０ｃは、中心（Ｏ）（図１０を参照）を通る基準線（Ｖ）に対して対称に配置され、従って、それぞれの上部ノズル６５０ａ、６５０ｄの噴射方向も基準線（Ｌ）に対して対称である。
【０１３７】
一対の上部ノズル６５０ａ、６５０ｄは、中心（Ｏ）又はドラム３２の中心（Ｃ）よりは上側に位置する。それぞれの上部ノズル６５０ａ、６５０ｄは下向きに循環水を噴射するため、ドラム３２を正面から見るとき、循環水はドラム３２の入口側においてはドラム３２の中心（Ｃ）より上側領域を通過し、ドラム３２内に深く入るほど下向きに傾斜した形態で噴射される。
【０１３８】
一対の下部ノズル６５０ｂ、６５０ｃは流入ポート７３よりは上側であるか、一対の上部ノズル６５０ａ、６５０ｄよりは下側に配置される。一対の下部ノズル６５０ｂ、６５０ｃは流入ポート７１ｈを基準に左右両側にそれぞれ配置されてもよく、好ましくは、基準線（Ｌ）に対して対称に配置されて、各下部ノズル６５０ｂ、６５０ｃの噴射方向が基準線（Ｌ）に対して対称である。
【０１３９】
一対の下部ノズル６５０ｂ、６５０ｃは、中心（Ｏ）又はドラム３２の中心よりは下側に位置する。それぞれの下部ノズル６５０ｂ、６５０ｃは、上向きに循環水を噴射するため、ドラム３２を正面から見るとき、循環水がドラム３２の入口側においてはドラム３２の中心（Ｃ）より下側領域を通過し、ドラム３２内に深く入るほど上向きに傾斜した形態で噴射される。
【０１４０】
第１ノズル６５０ａを例に挙げると、ノズル流入管６５１の一端は第１ポート挿入管６４１と連通し、他端は前記タブ３１の内部に開放される。前記ノズル流入管６５１の一端より他端の断面積が狭く形成される。ノズル流入管６５１は内側に中空６５１ａが形成される。
【０１４１】
ノズルヘッド６５２は、噴射された循環水と干渉され、前記循環水の噴射方向を変更させる。ノズルヘッド６５２は、タブ３２の後方内側に循環水を噴射させる。
【０１４２】
ノズルヘッド６５２の他端６５３は、前記ノズル流入管６５１の吐出側（他端）と離隔される。ノズルヘッド６５２は、前記ノズル流入管６５１の他端と離隔した状態でノズル流入管６５１を隠すように配置される。循環水は、ノズルヘッド６５２の内側面にぶつかり、吐出方向が変更される。ノズルヘッド６５２の他端６５３は、タブ３１の後方に向かうように配置される。
【０１４３】
前記ノズル流入管吐出口６５１ｃに吐出された循環水は、前記ノズルヘッド６５２の衝突面６５２ａにぶつかった後、噴射口６５７を介してタブ３１の内部に噴射される。前記噴射口６５７が向かう方向とノズル流入管６５１が延長される方向は交差する。
【０１４４】
分配管７０１は、循環管１８と連結される流入ポート７３と、流入ポート７３を介して流入した水を案内する移送管路７４と、移送管路７４から突出した複数の吐出ポート７６１、７６２、７６３、７６４、７２ｅとを含む。
【０１４５】
分配管７０１は、ガスケット６０より硬質又は硬直性の合成樹脂からなってもよい。分配管７０１は、洗濯機の作動過程で発生する振動にもかかわらず一定の形態を維持するものであって、特に、タブ３１の振動に対応して変形が行われる柔軟性のガスケット６０と比較すると、分配管７０１は相対的に剛体に近いといえる。これは、後述する第１、第２分配管７０２、７０３も同様である。
【０１４６】
分配管７０１は、循環管１８から排出された循環水を分枝させて、第１部分流ＦＬ１（図１３を参照）と第２部分流ＦＬ２（図１３を参照）を形成する。分配管７０１は、第１部分流ＦＬ１が案内される第１流路上に少なくとも１つの吐出ポート７６２、７６３が形成され、対応する吐出ポート７６２、７６３を介して対応するノズル６５０ｂ、６５０ｃに循環水を吐出する。同様に、第２部分流ＦＬ２が案内される第２流路上に少なくとも１つの吐出ポート７６４、７２ｅが形成され、対応する吐出ポート７６４、７２ｅを介して対応するノズル６５０ｄに循環水を吐出する。移送管路７４は、前記第１流路を形成する第１管路部７５と、前記第２流路を形成する第２管路部７６とを含む。
【０１４７】
第１管路部７５の一端と第２管路部７６の一端は互いに連結されており、このように連結された部分において流入ポート７３が突出する。しかしながら、第１管路部７５の他端と第２管路部７６の他端は互いに分離している。すなわち、移送管路７４は、全体的に「Ｙ」字状からなり、１つの入口（すなわち、流入ポート７３）を介して流入した循環水を２つの流路に分枝させて案内する構造である。
【０１４８】
ノズル６５０ａ、６５０ｂ、６５０ｃ、６５０ｄは、ガスケット６０上での高さに応じて上部ノズル６５０ａ、６５０ｄと下部ノズル６５０ｂ、６５０ｃに区分される。実施形態においては、ノズル６５０ａ、６５０ｂ、６５０ｃ、６５０ｄは４つが備えられ、これらはガスケット６０の下部に配置される第１下部ノズル６５０ｂと第２下部ノズル６５０ｃ、下部ノズル６５０ｂ、６５０ｃより上側に配置される第１上部ノズル６５０ａと第２上部ノズル６５０ｄとを含む。
【０１４９】
吐出ポート７６１、７６２、７６３、７６４はノズル６５０ａ、６５０ｂ、６５０ｃ、６５０ｄと対応する個数で備えられ、それぞれの吐出ポート７６１、７６２、７６３、７６４が対応するノズル６５０ａ、６５０ｂ、６５０ｃ、６５０ｄに循環水を供給する。
【０１５０】
吐出ポート７６１、７６２、７６３、７６４は、第１上部ノズル６５０ａに循環水を供給する第１上部吐出ポート７６２、第２上部ノズル６５０ｄに循環水を供給する第２上部吐出ポート７２ｅ、第１下部ノズル６５０ｂに循環水を供給する第１下部吐出ポート７６３、第２下部ノズル６５０ｃに循環水を供給する第２下部吐出ポート７６４を含む。
【０１５１】
移送管路７４は、ガスケット６０の外周部の周りに配置され、循環管１８を介してポンプ９０１と連結されている。それぞれの吐出ポート７６１、７６２、７６３、７６４は、移送管路７４から半径方向に沿って内側に突出し、ガスケット６０に挿管されて対応するノズル６５０ａ、６５０ｂ、６５０ｃ、６５０ｄに循環水を供給する。
【０１５２】
分配管７０１は、移送管路７４から突出して循環管１８と連結される流入ポート７３を含む。流入ポート７３は、移送管路７４から半径方向に沿って外側に突出する。
【０１５３】
図１１を参照すると、第１管路部７５は第１区間７５１ないし第４区間７５４を含む。第２管路部７６は、第１管路部７５と対称する形態であって、その構成は実質的に第２管路部７６と同一であるので、以下、第１管路部７５に関する説明は第２管路部７６にも適用できる。
【０１５４】
第１区間７５１は流入ポート７３から延長される。第１区間７５１は、所定の曲率で延長される弧形態（又は、アーク形態）の区間である。実施形態において、第１区間７５１はおよそ一定の曲率を有する曲線形であるが、この限定されるものではなく、実施形態によって相異なる曲率を有する２つ以上の曲線が連結された形態であってもよい。
【０１５５】
第２区間７５２は、第１区間７５１から連続するが、第１区間７５１から外側に広げられる形態である。言い換えれば、第２区間７５２は第１区間７５１の上端において外側（すなわち、中心（Ｏ）から離れる方向）に折曲された後、距離Ｌ２の分だけ延長される部分に該当する。第２区間７５２の長さ（Ｌ２）は、第１区間７５１の長さ（Ｌ１）に比べて短い。
【０１５６】
第３区間７５３は、第２区間７５２から内側（すなわち、中心（Ｏ）に近くなる方向）に折曲された後、距離Ｌ３の分だけさらに延長される部分である。第３区間７５３は、第２区間７５２から実質的に鉛直上方向に延長する。下部吐出ポート７６２は第３区間７５３に形成され、水平な方向（又は、第２区間７５２と直交する方向）に延長される。
【０１５７】
第３区間７５３において、下部吐出ポート７６２が突出した面７５０ｂは平らに形成されてもよい。面７５０ｂは、垂直方向に延長してもよい。面７５０ｂは少なくとも一部分がガスケットボディ６３の外側面と接触する。さらに、第２ポート挿入管６４２の端部が面７５０ｂに密着する。
【０１５８】
第４区間７５４は、第３区間７５３から内側（すなわち、中心（Ｏ）に近くなる方向）に折曲された後、距離Ｌ４の分だけさらに延長されて第１管路部７５の端部にまで至る。上部吐出ポート７６１は第４区間７５４に形成され、好ましくは、実施形態においてのように第４区間７５４の端部に形成される。第４区間７５４は、所定の曲率を有する曲線状であり、上部吐出ポート７６１の長さ方向と交差する方向に延長できる。
【０１５９】
第１管路部７５の端部（又は、第４区間７５４の端部）において、上部吐出ポート７６１の突出した面７５０ａは平らに形成されてもよい。面７５０ａは、垂直方向に延長される。この場合、面７５０ｂと面７５０ａは互いに平行である。面７５０ａは、少なくとも一部分が第１ポート挿入管６４１の端部に密着する。面７５０ｂは少なくとも一部分が第２ポート挿入管６４２の端部に密着する。
【０１６０】
一方、第４区間７５４が第３区間７５３から内側に折曲された形態であるため、前方から見るとき、上部吐出ポート７６１が形成された面７５０ａは下部吐出ポート７６２が形成された面７５０ｂより対称基準線（Ｌ）に近く位置する。さらに、好ましくは、面７５０ａの方が面７５０ｂよりガスケットボディ６３の外側面に近い。
【０１６１】
また、前方から見ると、第１吐出ポート７６１の端部は、第２吐出ポート７６２の端部より距離（Ｓ）の分だけ対称基準線（Ｌ）に近い地点に位置する。
【０１６２】
図１１ないし図１２を参照すると、第１吐出ポート７６１と連結される部分に第１ポート連結部７５７が形成され、第２吐出ポート７６２と連結される部分に第２ポート連結部７５８が形成される。
【０１６３】
同様に、第２管路部７６０には第３吐出ポート７６３と連結される部分に第３ポート連結部７６７が形成され、第４吐出ポート７６４と連結される部分に第４ポート連結部７６８が形成される。
【０１６４】
それぞれのポート連結部７５７、７５８、７６７、７６８は、図１２に示すように側面から見たとき、周辺部に比べて前方に凸状に形成される。各ポート連結部７５７、７５８、７６７、７６８の幅（Ｐ）は前記周辺部の幅（Ｗ）より大きい。言い換えれば、管路部７５、７６は流入ポート７３から一定の幅（Ｗ）に延長されてからポート連結部７５８において前方に凸状に突出した後、再び幅がＷに減ってポート連結部７５７まで延長される。一方、ポート連結部７５７、７５８、７６７、７６８の幅（Ｐ）は吐出ポート７６１の直径（ｔ）より大きい。
【０１６５】
図１４ないし図１６を参照すると、それぞれの吐出ポート７６１、７６２、７６３、７６４の外周面には円周方向に延長されるリング状の圧入突起７６９が形成される。圧入突起７６９は吐出ポート７６１、７６２、７６３、７６４の長さ方向に沿って複数配置される。圧入突起７６９は断面がくさび形になっている。第１吐出ポート７６１を第１ポート挿入管６４１に挿入するとき、圧入突起７６９がポート挿入管６４１、６４２、６４３、６４４の内周面を押すため、結合力が増加する。
【０１６６】
吐出ポート７６１がポート挿入管６４１に挿入される方向を第１方向と定義するとき、圧入突起７６９は、垂直面と、前記垂直面から第１方向に行くほど次第に高さが低くなるように傾斜する傾斜面とを含む。吐出ポート７６１がポート挿入管６４１に挿入されるときは、前記傾斜面により圧入が容易になり、圧入が完了した後は、前記垂直面により吐出ポート７６１がポート挿入管６４１から抜けにくくなる。結束部材（例えば、クランプ）を用いなくても、分配管７０１をガスケット６０に結合できるため、前記結束部材を締めるための作業所要時間を必要としない。
【０１６７】
一方、ポート挿入管６４１、６４２、６４３、６４４に挿入された状態で吐出ポート７６１、７６２、７６３、７６４の端部はノズル流入管６５１まで至ることができ、このとき、吐出ポート７６１、７６２、７６３、７６４の内周面とノズル流入管６５１の内周面は実質的に連続した面を形成することにより循環水の抵抗を減らす。ノズル流入管６５１は管状の形状であって、外径部６３２の内周面から突出し、対応するノズルヘッド６５２と連結される。
【０１６８】
図１８は、本発明の他の実施形態によるポンプを示す斜視図である。図１９は、本発明の他の実施形態による分配観を示す図である。前述の実施形態と異なり、ガスケット６０には２つの分配管７０２、７０３が設置される。２つの分配管７０２、７０３は基準線（Ｌ）を基準に一側に配置される第１分配管７０２と他側に配置される第２分配管７０３を含む。
【０１６９】
２つの分配管７０２、７０３に循環水を供給するためのポンプ９０２が備えられる。ポンプ９０２は２つの循環ポート９１２ａ、９１２ｂを含み、図示されていないが、２つの循環管が循環ポート９１２ａ、９１２ｂをそれぞれ分配管７０２、７０３と連結する。
【０１７０】
より詳細に、ポンプ９０２は、ポンプハウジング９１と、ポンプハウジング９１内に配置されるインペラ９１５と、回転力を提供してインペラ９１５を回転させるポンプモータ９２とを含む。
【０１７１】
ポンプハウジング９１は、インペラ９１５が収容されるチャンバを形成する。ポンプハウジング９１は、排水ベローズ１７と連結されて前記チャンバ内に循環水を案内する流入ポート９１１と、インペラ９１５により圧送された水を吐出する第１循環ポート９１２ａ及び第２循環ポート９１２ｂとを含む。
【０１７２】
ポンプモータ９２によりインペラ９１５が回転して形成された水流が第１循環ポート９１２ａと第２循環ポート９１２ｂを介して同時に吐出され、このとき、第１循環ポート９１２ａを介して吐出された水は、第１循環管（図示せず）を介して第１分配管７０２に供給され、第２循環ポート９１２ｂを介して吐出された水は、第２循環管（図示せず）を介して第２分配管７０３に供給される。
【０１７３】
第１分配管９１２ａは、第１ノズル６５０ａと第２ノズル６５０ｂとに循環水を供給する。第１分配管９１２ａは、前記第１循環管により第１循環ポート９１２ａと連結される第１流入ポート７３ａと、第１流入ポート７３ａを介して流入した循環水を案内する第１管路部７５と、第１管路部７５上に配置される２つの吐出ポート７６１、７６２とを含む。
【０１７４】
２つの吐出ポート７６１、７６２はそれぞれ第１ポート挿入管６４１と第２ポート挿入管６４２に挿入できる。
【０１７５】
第２分配管７０３は、第３ノズル６５０ｃと第４ノズル６５０ｄに循環水を供給する。第２分配管７０３は、前記第２循環管により第２循環ポート９１２ｂと連結される第２流入ポート７３ｂと、第２流入ポート７３ｂを介して流入した循環水を案内する第２管路部７６と、第２管路部７６上に配置される２つの吐出ポート７６３、７６４とを含む。
【０１７６】
２つの吐出ポート７６３、７６４はそれぞれ第３ポート挿入管６４３と第４ポート挿入管６４４に挿入される。
【０１７７】
一方、ポンプハウジング９１は、排水管１９と連結された排水ポート９１３をさらに含み、前述の実施形態と同様に、ポンプ９０１は、流入ポート９１１を介して循環水が流入し、排水ポート９１３と連通したチャンバ９１６と、チャンバ９１６内で回転されるインペラ９１７と、インペラ９１７を回転させる第２ポンプモータ９３とをさらに含む（以上、図５ないし図６を参照）。
【０１７８】
以上、添付の図面を参照して本発明の実施形態を説明したが、本発明は、前記実施形態に限定されるものではなく、相異なる様々な形態で製造されることができ、本発明の属する技術分野において通常の知識を有する者は、本発明の技術的思想や必須的な特徴を変更せずに他の具体的な形態で実施できることが理解できるであろう。従って、以上で記述した実施形態は、すべての面で例示的なものであり、限定的はものではないと理解されるべきである。
【図１】
2021528181.tif 000003
【図２】
2021528181.tif 000004
【図３】
2021528181.tif 000005
【図４】
2021528181.tif 000006
【図５】
2021528181.tif 000007
【図６】
2021528181.tif 000008
【図７】
2021528181.tif 000009
【図８】
2021528181.tif 000010
【図９】
2021528181.tif 000011
【図１０】
2021528181.tif 000012
【図１１】
2021528181.tif 000013
【図１２】
2021528181.tif 000014
【図１３】
2021528181.tif 000015
【図１４】
2021528181.tif 000016
【図１５】
2021528181.tif 000017
【図１６】
2021528181.tif 000018
【図１７】
2021528181.tif 000019
【図１８】
2021528181.tif 000020
【図１９】
2021528181.tif 000021
【国際調査報告】
2021528181.tif 000022
2021528181.tif 000023
2021528181.tif 000024
2021528181.tif 000025